(57)【特許請求の範囲】
【請求項１】
基体２とカバー体３からなり、
基体２は、ベース部４とこのベース部４の前後方向中間部の上方に対向配備される覆壁部６とを有し、このベース部４と覆壁部６との対向面間に、裏面に歯１を長手方向にぎざぎざに付けた樹脂製バンドＢの自由側端部が裏面側をベース部４に向けて挿通される第１バンド挿通孔部７がこれの入口７ａと出口７ｂとを前後に開放するよう形成されており、
ベース部４の前後方向後端部に、樹脂製バンドＢの固定側端部１１が一体的に結合されるバンド固定部１２が設けられており、
第１バンド挿通孔部７内において樹脂製バンドＢの歯１と係合する戻止め爪１０がベース部４から覆壁部６に向けて突設されており、
カバー体３は、ベース部４のバンド固定部１２と覆壁部６の後端との間に、覆壁部６の後方へ開く開位置と覆壁部６の上側に閉じ合わされる閉位置とにわたって軸部２０回りに開閉回動可能に連結され、かつ、閉じ位置で基体４側に係止固定されるようにしてあり、
カバー体３には、軸部２０の外周に一体に形成された爪車２１と、この爪車２１の外周に沿うよう設けられ、かつカバー体３の開き状態で第１バンド挿通孔部７の出口７ｂから引き出される樹脂製バンドＢの自由側端部がこれの裏面側を爪車２１に外接するよう挿通される第２バンド挿通孔部２２と、爪車２１の外周に突設され、かつ第２バンド挿通孔部２２に挿通される樹脂製バンドＢの歯１と係合する送り爪２３と、カバー体３の覆壁部６と対向する内面側に突設され、かつ第２バンド挿通孔部２２から抜き出されて覆壁部６の上側に折り返される樹脂製バンドＢを、カバー体３の閉じに伴い、覆壁部６の前端の前方部で入口７ａ付近に位置する樹脂製バンドＢの一部分に重ね合わすよう押し付ける押圧突起２４と、を備えていることを特徴とするバンド用留め具。
【請求項２】
送り爪２３が爪車２１の円周方向に２個以上並べて設けられ
ている請求項１記載のバンド用留め具。
【請求項３】
第１バンド挿通孔部７の出口７ｂと第２バンド挿通孔部２２との間のベース部４の上面に、樹脂製バンドＢを第１バンド挿通孔部７の出口７ｂから第２バンド挿通孔部２２へ誘導案内する斜面壁２６を設けている請求項１又は２記載のバンド用留め具。
【発明の詳細な説明】
【０００１】
【発明の属する技術分野】
本発明は、主として、電柱のような柱体の外周面に標識板などの被装着物を樹脂製バンドで巻き付けて固定するときなどに使用されるバンド用留め具に関するものである。
【０００２】
【従来の技術】
この種のバンド用留め具は、例えば、本出願人が提案した実公平８−３２８８号公報に公知である。このバンド用留め具は、概して、基体とこれに開閉可能に連結されたカバー体からなり、基体に樹脂製バンドの固定側端部を一体的に結合し、樹脂製バンドの自由側端部を前記基体に挿通し、カバー体を閉じて該樹脂製バンドの自由側端部を基体との間で押え付け固定するという構造であって、使用に際しては基体を電柱のような柱体の外周面に沿って配備し、樹脂製バンドを柱体に巻き付け後にこれの自由側端部を前記基体に挿通してからカバー体を閉じることによりその樹脂製バンドの自由側端部を押え付け固定して緩み止めを講じるというものである。
【０００３】
【発明が解決しようとする課題】
しかるに、上記バンド用留め具では、柱体に対して樹脂製バンドを巻いた後、樹脂製バンドの自由側端部を手につかんで強く引っ張って締め付けるというものであるため、十分な締め付け力が得難く、その後装着物が柱体上でがたついたり、離脱しやすくなるという難点があった。
【０００４】
本発明は、上記問題点を解消するためになされたもので、上記のような、基体と開閉回動可能なカバー体とを備えたバンド用留め具において、カバー体を開閉方向に揺動操作するという簡単な操作で樹脂製バンドを引き締め方向に刻み送り可能にすることにより強力な引き締め操作が行えるバンド用留め具を提供することを目的とする。
【０００５】
【課題を解決するための手段】
本発明の請求項１に記載の発明に係るバンド用留め具は、図４に例示するように、基体２とカバー体３からなり、基体２は、ベース部４とこのベース部４の前後方向中間部の上方に対向配備される覆壁部６とを有し、このベース部４と覆壁部６との対向面間に、裏面に歯１を長手方向にぎざぎざに付けた樹脂製バンドＢの自由側端部が裏面側をベース部４に向けて挿通される第１バンド挿通孔部７がこれの入口７ａと出口７ｂとを前後に開放するよう形成されており、ベース部４の前後方向後端部に、樹脂製バンドＢの固定側端部１１が一体的に結合されるバンド固定部１２が設けられており、第１バンド挿通孔部７内において樹脂製バンドＢの歯１と係合する戻止め爪１０がベース部４から覆壁部６に向けて突設されており、カバー体３は、ベース部４のバンド固定部１２と覆壁部６の後端との間に、覆壁部６の後方へ開く開位置と覆壁部６の上側に閉じ合わされる閉位置とにわたって軸部２０回りに開閉回動可能に連結され、かつ、閉じ位置で基体２側に係止固定されるようにしてあり、カバー体３には、軸部２０の外周に一体に形成された爪車２１と、この爪車２１の外周に沿うよう設けられ、かつカバー体３の開き状態で第１バンド挿通孔部７の出口７ｂから引き出される樹脂製バンドＢの自由側端部がこれの裏面側を爪車２１に外接するよう挿通される第２バンド挿通孔部２２と、爪車２１の外周に突設され、かつ第２バンド挿通孔部２２に挿通される樹脂製バンドＢの歯１と係合する送り爪２３と、カバー体３の覆壁部６と対向する内面側に突設され、かつ第２バンド挿通孔部２２から抜き出されて覆壁部６の上側に折り返される樹脂製バンドＢを、カバー体３の閉じに伴い、覆壁部６の前端の前方で入口７ａ付近に位置する樹脂製バンドＢの一部分に重ね合わすよう押し付ける押圧突起２４と、を備えていることに特徴を有するものである。
【０００６】
この請求項１に係る発明によれば、以下のような作用を発揮する。図４のように、カバー体３を開いた状態で、基体２のベース部４を柱体Ｃの外周面に沿って配備し、固定側端部１１がベース部４の一端部に一体的に結合された樹脂製バンドＢを柱体Ｃに巻き付けてその自由側端部をこれの裏面側がベース部４に向き合うよう第１バンド挿通孔部７に押し込んで引っ張り出す。さらに、この引っ張り出した樹脂製バンドＢの自由側端部を第２バンド挿通孔部２２に挿通してカバー体３の外側に引き出す。この状態で、カバー体３を手につかんで軸部２０回りに開閉方向に揺動すると、その軸部２２と一体の爪車２１も同一方向に揺動し、カバー体３の開方向揺動に伴い送り爪２３の先端は樹脂製バンドＢの自由側端部の一つの歯１と係合してその自由側端部を第２バンド挿通孔部２２の外方へ刻み送りし、カバー体３の閉方向揺動により送り爪２３は歯１の先端を滑って原位置に復帰し、このとき戻止め爪１０は樹脂製バンドＢの歯１と係合して樹脂製バンドＢが緩み方向に後戻りするのを制止する。かかるカバー体３の揺動操作を繰り返すことにより樹脂製バンドＢは引き締め方向に小刻みに順次送られて強力に締め付けられて行く。
【０００７】
この締め付け後は、図５のように、樹脂製バンドＢの自由側端部を第２バンド挿通孔部２２への挿通方向と反対方向に押し戻すことで第２挿通孔部２２から抜き出して覆壁部６の上側に折り返し、カバー体３を閉じて基体２に対し係合させる。カバー体３を閉じると、その覆壁部６上に折り返された樹脂製バンドＢは押圧突起２４により入口７ａ付近に位置する樹脂製バンドＢの一部分の上に重なり合うように押し付け固定される。
【０００８】
上記請求項１に記載の発明に係るバンド用留め具において、請求項２に記載のように、上記送り爪２３は２個もしくはこれ以上を爪車２１の円周方向に並べて設けるという構成を採用することによって、樹脂製バンドＢをより一層、安定確実に刻み送りすることができる。
【０００９】
上記請求項１又は２に記載の発明に係るバンド用留め具において、請求項３記載のように、第１バンド挿通孔部７の出口７ｂと第２バンド挿通孔部２２との間のベース部４の上面に、樹脂製バンドＢを第１バンド挿通孔部７の出口７ｂから第２バンド挿通孔部２２へ誘導案内する斜面壁２６を設けるという構成を採用することによって、樹脂製バンドＢを第１バンド挿通孔部７の出口７ｂから第２バンド挿通孔部２２へ円滑に導き入れることができる。
【００１０】
【発明の実施の形態】
以下、本発明の一実施の形態を図面に基づき説明する。
図１は本発明に係るバンド用留め具Ａを樹脂製バンドＢ及び電柱等の柱体Ｃと共に示した斜視図、図２はバンド用留め具Ａの断面図、図３はバンド用留め具Ａの底面図、図４及び図５はバンド用留め具Ａの使用状態を示す断面図である。
【００１１】
図１に示すように、バンド用留め具Ａは、電柱等の柱体Ｃの外周面に配備された標識板などの被装着物Ｄの上から柱体Ｃに巻き付けた樹脂製バンドＢを締め付けて固定するために用いられるものである。その樹脂製バンドＢはこれの裏面に断面形状が台形あるいは三角形の歯１を長手方向にぎざぎざに付けてある。
【００１２】
図２に示すように、バンド用留め具Ａは樹脂製の基体２とカバー体３からなる。基体２は樹脂製バンドＢの幅よりも少し幅広の平板状に形成されたベース部４と、このベース部４の左右幅方向両側端縁から一体に立ち上げられた左右の両側壁部５，５と、ベース部４の前後方向中間部の上方に平行に対向して両側壁部５，５の上端縁部間にわたって一体に架設された覆壁部６とを有しており、覆壁部６とベース部４との対向面間には樹脂製バンドＢを挿通可能にする第１バンド挿通孔部７が入口７ａと出口７ｂとを前後に開放するよう形成されている。
【００１３】
上記ベース部４の前後方向中間部には、図３に示すように、平面視においてコ字形の溝８を形成することによって第１バンド挿通孔部７内のベース部４に弾性変形自在な爪保持片９を片持ち状に設けてあり、この爪保持片９の自由後端側には、図３のように、鋸歯形状の戻止め爪１０を覆壁部６に向けて一体に突設している。
【００１４】
上記ベース部４の前後方向後端部には、図２及び図４のように、樹脂製バンドＢの固定側端部１１を一体的に結合するバンド固定部１２が設けられている。このバンド固定部１２はベース部４にこれの前後方向に２つの挿通孔１３，１４を並べて設けてなり、２つの挿通孔１３，１４に樹脂製バンドＢの固定側端部１１を折り返し状に挿通可能にしている。
【００１５】
図２のように、上記両側壁部５，５の、バンド固定部側の後端寄り部には、カバー体３を軸支するための軸孔１５を形成するとともに、この軸孔１５の円周一部と側壁部５の上縁とを狭い嵌込溝１６で連通させてあり、同両側壁部５，５の覆壁部側の前端寄り部の外面にはカバー体３を閉じロックするための係止突起１７を設けている。
【００１６】
一方、上記カバー体３は、上壁部１８と、この上壁部１８の左右側端に直角に連設された両側壁部１９，１９とを有しており、このカバー体３の後端部には軸部２０を両側壁部１９，１９間にわたって一体に設けている。その軸部２０の両端部は上記基体２の軸孔１５に嵌込溝１６から嵌合することによって、基体２に対しカバー体３が覆壁部６の後方に開く開位置と覆壁部６の上側に閉じ合わされる閉位置（図５参照）とにわたって軸部２０回りに開閉回動自在に連結される。また、軸部２０の軸心方向中間部の外周は軸孔１５に嵌合する軸端部の軸径よりも径大に形成することにより、円柱状の爪車２１を軸部２０の外周に一体に形成し、この爪車２１と上壁部１８の後端との間には、上記第１バンド挿通孔部７の出口７ｂから引き出される樹脂製バンドＢの自由側端部を挿通可能にする第２バンド挿通孔部２２を形成している。爪車２１の外周には２つの送り爪２３，２３を円周方向に所定間隔を置いて並べて一体に突設している。
【００１７】
また、カバー体３の上壁部１８の内面の前端寄り部には断面角形の押圧突起２４を一体に突設する。この押圧突起２４は、図５に示すごとく第２バンド挿通孔部２２から抜き出された樹脂製バンドＢの自由側端部が覆壁部６の後端部で覆壁部６の上側に折り返された状態でカバー体３を閉じたときその折り返された自由側端部を覆壁部６の前端部の前方において入口７ａ付近に位置する樹脂製バンドＢの一部分の上に重なり合うよう押し付ける作用をするものとしてある。さらにカバー体３の両側壁部１９，１９には、該カバー体３の閉じ状態で上記基体２の係止突起１７に係止してカバー体３を閉じ位置にロック保持する係止孔２５が設けられている。
【００１８】
上記第１バンド挿通孔部７の出口７ｂと第２バンド挿通孔部２２との間のベース部４の上面には、樹脂製バンドＢを第１バンド挿通孔部７の出口７ｂから第２バンド挿通孔部２２へ誘導案内するための斜面壁２６を一体に設けている。
【００１９】
上記構成のバンド用留め具Ａの使用手順を図４及び図５に基づいて説明する。まず、カバー体３を開いた状態で、樹脂製バンドＢの固定側端部１１は、図４のように、ベース部４の表面側からバンド固定部１２の後側の挿通孔１４に通して裏面側に引き出し、次いでこの引き出された固定側端部１１を折り返して前側の挿通孔１３に通して表面側に引き出す。この状態で、図１のように基体２のベース部４を被装着物Ｄの上から柱体Ｃに沿わせて、樹脂製バンドＢを柱体Ｃに一巻きする。すると、樹脂製バンドＢの固定側端部１１においては、挿通孔１３から引き出された余剰部分１１ａが樹脂製バンドＢの裏面とベース部４との間に挟み付けられることになり、固定側端部１１がベース部４のバンド固定部１２に抜け止め状に結合される。また、樹脂製バンドＢの折り返された余剰部分１１ａの裏面の歯１とそれに対向する部分の歯１とが噛み合うので、固定側端部１１がベース部４のバンド固定部１２から抜け出るのを防止する効果が高められる。
【００２０】
上記のようにして柱体Ｃに一巻きした樹脂製バンドＢの自由側端部は、図４に示すように、基体２の第１バンド挿通孔部７に入口７ａから歯１を有する裏面側をベース部４に向けて挿通して出口７ｂから引き出し、さらにカバー体３の第２バンド挿通孔部２２に挿通してカバー体３の外側へ引き出す。この場合、第１バンド挿通孔部７の出口７ｂと第２バンド挿通孔部２２との間のベース部４の上面に斜面壁２６を設けているので、樹脂製バンドＢをその斜面壁２６の斜面上に沿わせることにより第１バンド挿通孔部７の出口７ｂから第２バンド挿通孔部２２へ円滑に導き入れることができる。
【００２１】
このように樹脂製バンドＢの自由側端部を第１バンド挿通孔部７と第２バンド挿通孔部２２に挿通した状態下で、カバー体３を手につかんで軸部２０回りに開閉方向Ｘに揺動する。
カバー体３を開き方向に揺動するとき、送り爪２３の先端が樹脂製バンドＢの一つの歯１と係合して樹脂製バンドＢを締め付け方向に１ピッチ分だけ引っ張ると、第１バンド挿通孔部７内において或る歯１，１間の谷部に落ち込み係合している戻止め爪１０の先端は、前記谷部から外し出された後その谷部の下手側の歯１の先端により押圧されるまま爪保持片９の弾性変形（図４中、二点鎖線状態Ｆ参照）を介して押し下げられながらその歯１先を滑って次の谷部に落ち込み係合する。
【００２２】
カバー体３を閉位置から開方向終端位置にまで一杯に揺動するときは、送り爪２３は樹脂製バンドＢを数ピッチ分の長さだけ第２バンド挿通孔部２２の外方へ刻み送りする。このとき戻止め爪１０の先端は前述のように歯１先を滑るため送り爪２３による樹脂製バンドＢの刻み送りを可能にする。
【００２３】
送り爪２３を２個設ける場合、図４に実線状態で示すごとくカバー体３がベース部４に対し略直角に起立する開き角度位置で、爪車２１上の樹脂製バンドＢの歯１に係合している先行側の送り爪２３が爪車２１の円周上部に位置していて、このとき後行側の送り爪２３が始めて樹脂製バンドＢの歯１に係合するように前後の送り爪２３，２３間の間隔寸法を設定してあり、したがって、それよりも更に開き方向に揺動するときはこの２つの送り爪２３，２３で樹脂製バンドＢを安定確実に刻み送りすることができる。ただし、両送り爪２３，２３間の間隔はそれよりも小さく設定しておくこともできる。
【００２４】
カバー体３を閉じ方向に揺動するときは送り爪２３の先端が歯１の先端を滑って原位置に復帰し、このとき戻止め爪１０の先端は一つの歯１に係合したままとなって樹脂バンドＢが後戻りするのを防止する。
【００２５】
かかるカバー体３の開閉方向の揺動操作を数回繰り返して行うことにより、樹脂製バンドＢは柱体Ｃに対し次第に強く締め付けられて行く。このようなカバー体３の揺動操作によれば樹脂製バンドＢを簡単にしかも強力に締め付けることができる。
【００２６】
この締め付け操作後は、図５のように、樹脂製バンドＢの自由側端部を第２バンド挿通孔部２２への挿通方向と反対方向に押し戻して第２挿通孔部２２から抜き出してから覆壁部６の上側に折り返し、カバー体３を覆壁部６の上側に閉じ合わせて係止孔２５を基体２の係止突起１７に係止させることによりカバー体３が閉じ位置に保持固定される。このカバー体３の閉じと同時に、その覆壁部６上に折り返された樹脂製バンドＢは覆壁部６の前端部の前方で押圧突起２４により入口７ａ付近の樹脂製バンドＢの一部分の上に重なるよう押し付け固定され、これによりバンド緩み止め状態が確保される。
【００２７】
【発明の効果】
本発明のバンド留め具によれば、カバー体３を開閉方向に揺動させるという簡単な操作でもって樹脂製バンドＢを引き締め方向に刻み送りすることができるので、強力な引き締め操作が簡単に行えて使い勝手がきわめて良好である。
【図面の簡単な説明】
【図１】バンド用留め具を樹脂製バンド及び電柱等の柱体と共に示した斜視図である。
【図２】バンド用留め具の断面図である。
【図３】バンド用留め具の底面図である。
【図４】バンド用留め具のカバー体を開き、第１，２バンド挿通孔部に樹脂製バンドの自由側端部を挿通したときの断面図である。
【図５】バンド留め具のカバー体を閉じたときの断面図である。
【符号の説明】
Ｂ  樹脂製バンド
Ｃ  柱体
１  歯
２  基体
３  カバー体
４  ベース部
６  覆壁部
７  第１バンド挿通孔部
７ａ  入口
７ｂ  出口
１０  戻止め爪
１１  固定側端部
１２  バンド固定部
２０  軸部
２１  爪車
２２  第２バンド挿通孔部
２３  送り爪
２４  押圧突起
２６  斜面壁
【図１】
0004072272.tif 000002
【図２】
0004072272.tif 000003
【図３】
0004072272.tif 000004
【図４】
0004072272.tif 000005
【図５】
0004072272.tif 000006